(57)【特許請求の範囲】
【請求項１】
パチンコ遊技機に設けられて遊技球を貯留する球受け皿と球発射装置との間に配設される球送り装置において、
前記球受け皿から遊技球を順次導入する球導入口部と、当該球導入口部により導入された遊技球を前記球発射装置側に送る球送り口部とを有する筐体と、
前記球導入口部により導入される遊技球を前記球送り口部へ案内方向に沿い案内するように前記筐体内に設けてなる球案内路と、
前記遊技球を前記球案内路に沿い案内するように当該球案内路に設けてなる案内規制部材と、
前記筐体内に設けられる回動手段とを備えて、
当該回動手段は、
支持軸と、
この支持軸に回動可能に支持される基部と、この基部から前記球案内路上に沿い前記球導入口部に向けて開口可能に形成してなる凹部及び当該凹部を挟むように回動方向両側に形成してなる両側腕部を有する球受け部材とを具備して、
前記球受け部材が前記凹部にて前記球導入口部に向け開口する回動位置にあるとき、前記球導入口部により導入される前記遊技球を前記凹部にて受承し、然る後、前記球受け部材が前記凹部にて前記球導入口部から回動することで、前記遊技球に後続する遊技球の前記球導入口部による導入を、前記両側腕部のうち前記凹部よりも前記球導入口部側に位置する一側腕部にて阻止するとともに、前記凹部にて受承した前記遊技球を、受承遊技球として、前記球案内路により前記球送り口部から前記球発射装置側へ送るように前記球案内路上に放出するようになっており、
前記案内規制部材は、前記受承遊技球が糸付き遊技球であるとき当該糸付き遊技球の糸が前記球案内路による前記糸付き遊技球の案内に伴い当該糸付き遊技球の遊技球に付随して移動する過程において前記糸をその移動方向中間部位にて移動しにくいように規制案内壁により規制するとともに、当該規制のもとに前記糸をその移動方向中間部位にて係止部に係止させるようにしたことを特徴とする球送り装置。
【発明の詳細な説明】
【技術分野】
【０００１】
本発明は、球送り装置及びこの球送り装置を備えるパチンコ遊技機に関する。
【背景技術】
【０００２】
従来、この種の球送り装置としては、下記特許文献に記載の球送り装置が提案されている。この球送り装置においては、球送り部材が、その磁性板にて電磁石によりそのオンのもとに吸引されて回動し、球受け皿から導入口を通して送り込まれた球列の先頭球を球受け部に取り込んだ後、電磁石のオフに伴い上記球受け部を下方に回動して、上記先頭球を送出口から球発射レールに送出するようになっている。
【先行技術文献】
【特許文献】
【０００３】
【特許文献１】特開２００２−３３１０８０号公報
【発明の概要】
【発明が解決しようとする課題】
【０００４】
ところで、この種の球送り装置において、糸の先端部を遊技球の外面に固着した糸付き遊技球が、不正遊技者等により、球受け皿から球送り装置内に送り込まれると、当該糸付き遊技球は、球送り部材を介しその球受け部内に取り込まれた後、送出口から球発射レールに送出されて、発射装置により遊技盤の遊技領域に向けて発射される。これに伴い、糸付き遊技球は、その糸とともに遊技盤の盤面に沿い移動していくこととなる。このとき、上記糸の後端部は、球受け皿内にて、不正遊技者等により把持されている。
【０００５】
このため、不正遊技者等が、糸の後端部を把持しながら、上述のような糸付き遊技球の遊技盤の盤面に沿う転動状態にて、当該遊技球を不正に操ることで、遊技球を電動チューリップ等へ入賞を画策するおそれがある。
【０００６】
そこで、本発明は、以上のようなことに対処するため、球受け皿から球発射装置への遊技球の送り構成に工夫を凝らし、糸付き遊技球を用いた遊技盤の盤面における不正行為を未然に防止するようにした球送り装置及びこの球送り装置を備えるパチンコ遊技機を提供することを目的とする。
【課題を解決するための手段】
【０００７】
上記課題の解決にあたり、本発明に係る球送り装置は、請求項１の記載によれば、
パチンコ遊技機に設けられて遊技球を貯留する球受け皿（Ｓ）と球発射装置（１０）との間に配設されるものである。
【０００８】
当該球送り装置において、
球受け皿から遊技球を順次導入する球導入口部（２４ｃ）と、当該球導入口部により導入された遊技球を球発射装置側に送る球送り口部（２２ｆ）とを有する筐体（２１、２２、２３、２４）と、
上記球導入口部により導入される遊技球を上記球送り口部へ案内方向に沿い案内するように筐体内に設けてなる球案内路（２４ｇ）と、
上記遊技球を球案内路に沿い案内するように当該球案内路に設けてなる案内規制部材（２６、２６Ａ、２６Ｂ）と、
筐体内に設けられる回動手段（Ｂ、Ｃ）とを備えて、
当該回動手段は、
支持軸（２９）と、
この支持軸に回動可能に支持される基部と、この基部から球案内路上に沿い上記球導入口部に向けて開口可能に形成してなる凹部（２７ａ）及び当該凹部を挟むように回動方向両側に形成してなる両側腕部（２７ｂ、２７ｃ）を有する球受け部材（２７）とを具備して、
上記球受け部材が上記凹部にて上記球導入口部に向け開口する回動位置にあるとき、上記球導入口部により導入される上記遊技球を上記凹部にて受承し、然る後、上記球受け部材が上記凹部にて上記球導入口部から回動することで、上記遊技球に後続する遊技球の上記球導入口部による導入を、上記両側腕部のうち上記凹部よりも上記球導入口部側に位置する一側腕部（２７ｃ）にて阻止するとともに、上記凹部にて受承した上記遊技球を、受承遊技球として、球案内路により上記球送り口部から球発射装置側へ送るように球案内路上に放出するようになっており、
案内規制部材は、上記受承遊技球が糸付き遊技球であるとき当該糸付き遊技球の糸が球案内路による上記糸付き遊技球の案内に伴い当該糸付き遊技球の遊技球に付随して移動する過程において上記糸をその移動方向中間部位にて移動しにくいように規制案内壁（２６ｆ）により規制するとともに、当該規制のもとに上記糸をその移動方向中間部位にて係止部（２６ｇ、２６ｈ、２６ｉ、２６ｊ、２６ｋ、２６ｍ）に係止させるようにしたことを特徴とする。
【０００９】
このように、案内規制部材が、承遊技球が糸付き遊技球であるとき当該糸付き遊技球の糸が球案内路による糸付き遊技球の案内に伴い当該糸付き遊技球の遊技球に付随して移動する過程において糸をその移動方向中間部位にて移動しにくいように規制案内壁により規制するとともに、当該規制のもとに上記糸をその移動方向中間部位にて係止部に係止させる。
【００１０】
従って、当該案内規制部材によれば、受承遊技球が糸付き遊技球であるとき、当該糸付き遊技球の糸が球案内路による上記糸付き遊技球の案内に伴い当該糸付き遊技球の遊技球に付随して移動する過程において、糸がその移動方向中間部位にて移動しにくいように規制案内壁により規制されるとともに、当該規制のもとに糸付き遊技球がその糸の移動方向中間部位にて係止部に係止する。
【００１１】
その結果、当該糸付き遊技球の糸に対する規制案内壁による規制及び係止部との係止のもとに、当該糸付き遊技球を用いた不正行為が未然に防止され得る。
【発明の効果】
【００１２】
球案内路により案内される糸付き遊技球の糸に対する案内規制部材の規制案内壁による規制及び係止部との係止のもとに、当該糸付き遊技球を用いた不正行為が未然に防止され得る。
【００１３】
なお、上記各手段の括弧内の符号は、後述する実施形態に記載の具体的手段との対応関係を示す。
【図面の簡単な説明】
【００１４】
【図１】本発明が適用されるパチンコ遊技機の第１実施形態を示す斜視図である。
【図２】図１に示すパチンコ遊技機において、球送り装置及び球発射装置の組付位置を表した斜視図である。
【図３】図１に示すパチンコ遊技機において、球送り装置と球発射装置との位置関係を示す斜視図である。
【図４】図３において、球送り装置を球発射装置から分解した状態を示す分解斜視図である。
【図５】図３の球送り装置の拡大斜視図である。
【図６】図３の球送り装置の分解斜視図である。
【図７】図３の球送り装置の要部を前側から見た状態で示す斜視図である。
【図８】図６に示す案内規制部材の拡大部分破断側面図である。
【図９】図３の球送り装置の動作説明図である。
【図１０】図６の球送り装置の動作説明図である。
【図１１】図６の球送り装置の動作説明図である。
【図１２】図６の球送り装置の動作説明図である。
【図１３】図６の球送り装置材の動作説明図である。
【図１４】図６の球送り装置の動作説明図である。
【図１５】本発明の第２実施形態の要部を示す分解斜視図である。
【図１６】（ａ）及び（ｂ）は、それぞれ、図１５の案内規制部材及び傾動板の動作説明図である。
【図１７】図１５の球送り装置の動作説明図である。
【図１８】図１５の球送り装置の動作説明図である。
【図１９】図１５の球送り装置の動作説明図である。
【図２０】（ａ）及び（ｂ）は、それぞれ、図１５の球送り装置の動作説明図である。
【図２１】（ａ）及び（ｂ）は、それぞれ、図１５の球送り装置の動作説明図である。
【発明を実施するための形態】
【００１５】
以下、本発明の各実施形態を図面により説明する。
（第１実施形態）
図１は、本発明が適用されるパチンコ遊技機の第１実施形態を示している。当該パチンコ遊技機は、パチンコホール（図示しない）内の島（図示しない）に立設されるもので、このパチンコ遊技機は、機枠ＰＦと、この機枠ＰＦに対し前後方向に開閉可能に支持してなる遊技機本体ＢＤ及び前扉ＦＤとにより構成されている。
【００１６】
なお、図１において、図示左側斜め後方及び図示右側斜め前方は、当該パチンコ遊技機の左方及び右方に対応し、図示左側斜め前方及び図示右側斜め後方は、当該パチンコ遊技機の前方及び後方に対応し、図示上下方向は、当該パチンコ遊技機の上下方向に対応する。
【００１７】
遊技機本体ＢＤは、機枠ＰＦに前後方向へ回動可能に支持してなる本体枠ＢＦと、この本体枠ＢＦにその前面側から嵌装してなる遊技盤ＢＢとにより構成されている。
【００１８】
前扉Ｄは、図１にて示すごとく、前枠ＦＤ１と、窓ガラスＦＤ２と、球受け皿Ｓとを備えており、前枠ＦＤ１は、その左縁部にて、遊技機本体ＢＤの左縁部を介し、機枠ＰＦの左縁部に前後方向に回動可能に支持されている。
【００１９】
球受け皿Ｓは、前枠ＦＤ１の下部から前方へ突出するように形成されており、この球受け皿Ｓには、凹状貯留部Ｓ１が、上方に向けて開口するように設けられている。
【００２０】
しかして、この球受け皿Ｓは、遊技機本体ＢＤの本体枠ＢＦの上部内に設けた球タンク（図示しない）から、遊技球を、本体枠ＢＦ内の球通路（図示しない）を通して順次供給されて、凹状貯留部Ｓ１内に貯留する。
【００２１】
また、当該球受け皿Ｓは、その凹状貯留部Ｓ１の下流部位である底壁右側部位に左右方向に長手凹状に形成してなる球整列部（図示しない）にて、凹状貯留部Ｓ１の右側壁部に形成した開口部（図示しない）から、凹状貯留部Ｓ１内の各遊技球を後述する球送り装置２０（図２参照）に向け順次導出するようになっている。
【００２２】
遊技盤ＢＢには、ガイドレール、多数の遊技釘、大入賞口装置や始動入賞口装置など遊技者に有利な遊技状態を与えるための装置、その他の各種の盤面部品（図示しない）が設けられている。
【００２３】
ここで、上記ガイドレールは、内側レール部及び外側レール部を有しており、これら内側レール部及び外側レール部は、遊技盤ＢＢの盤面の外周部に沿い円弧状に組み付けられて、その内周側において、遊技盤ＢＢの盤面上に遊技領域を形成している。なお、上記内側レール部は、上記外側レール部の内周側に位置している。また、多数の遊技釘は、遊技盤ＢＢの盤面に上記遊技領域内にて分散して打ち込まれている。
【００２４】
当該パチンコ遊技機は、図１或いは図２にて示すごとく、ハンドルＨ、球発射装置１０及び球送り装置２０を備えている。ハンドルＨは、図１にて示すごとく、遊技機本体ＢＤの本体枠ＢＦの右下側隅角部にその前面側から回動操作可能に支持されている。
【００２５】
球発射装置１０は、遊技盤ＢＢの右下部にその前面側から組み付けられており、この球発射装置１０は、ロータリーソレノイド１１（図２参照）、ケーシング１２、球発射レール１３（図３及び図４）や、ケーシング１２内に収容してなる長手状の槌（図示しない）などを備えて構成されている。なお、図２では、球発射装置１０は、球送り装置２０と共に、便宜状、実線により描かれている。
【００２６】
ロータリーソレノイド１１は、ハンドルＨの後述する操作に伴い動作状態におかれて、上記槌を、その後退回動位置から球発射レール１３に向け傾動させ、当該槌の槌部を球発射レール１３の球発射基端部に対向させる。
【００２７】
これにより、上記槌は、その槌部にて、球発射レール１３の球発射基端部に球送り装置２０から後述のように送られる遊技球を打って、球発射レール１３に沿い発射させる。これに伴い、このように発射された遊技球は、上記ガイドレールの内側レール部及び外側レール部の間を通り上記遊技領域内に向け案内される。
【００２８】
球発射レール１３は、その球発射基端部にて、ケーシング１２内の上記槌の槌部に対向し得るように、遊技盤ＢＢの盤面にケーシング１２から上記ガイドレールの内側レール部及び外側レール部の間に向けて左側上方へ傾斜状に配設されている。
【００２９】
球送り装置２０は、図２或いは図３から分かるように、球受け皿Ｓと球発射装置１０との間において、前枠ＦＤ１の右側下部にその後面側から球発射装置１０に対向可能に組み付けられている。
【００３０】
当該球送り装置２０は、図２〜図６のいずれかに示すごとく、ケーシング２３を備えており、このケーシング２３は、前側ケーシング部材２１及び後側ケーシング部材２２でもって構成されている。
【００３１】
これら前側ケーシング部材２１及び後側ケーシング部材２２は、それぞれ、球受け皿Ｓ側及び球発射装置１０側に位置するようにケーシング２３を２分割して形成されており、当該前側ケーシング部材２１及び後側ケーシング部材２２は、互いにその開口部にて係合されて、ケーシング２３を構成している。
【００３２】
具体的には、前側ケーシング部材２１は、その各筒部ａ〜ｅ（図６参照）を、それぞれ、当該各筒部ａ〜ｅに対する後側ケーシング部材２２の各対応部位ｆ〜ｊ（図６参照）に前側から当接させることで、当該前側ケーシング部材２１は、その後端開口部にて、後側ケーシング部材２２の前端開口部に係合されて、各筒部ａ〜ｅを介し各対応のねじ（図示しない）の締着でもって、後側ケーシング部材２２に組み付けられている。
【００３３】
前側ケーシング部材２１は、図６にて示すごとく、その底壁であるＬ字状前壁の外周縁部から周壁部を後方へ屈曲するように延出させて形成されている。ここで、前側ケーシング部材２１のＬ字状前壁は、上側前壁部及び下側前壁部でもって形成されており、当該下側前壁部は、上記上側前壁部の下縁に沿い左側へ延出されて、当該上側前壁部と共に、上記Ｌ字状前壁を構成している。
【００３４】
当該前側ケーシング部材２１の上記下側前壁部は、図６にて示すごとく、後側ケーシング部材２２の逆Ｌ字状開口部２２ａ（後述する）に対向するように、逆Ｌ字状開口部２１ａを有しており、この逆Ｌ字状開口部２１ａは、前側ケーシング部材２１の上記下側前壁部の左右方向中央部位に形成してなる中央側開口部位と、この中央側開口部位と一体となって上記下側前壁部の左側部位に形成してなる左側開口部位とでもって構成されている。
【００３５】
ここで、当該左側開口部位は、上記中央側開口部位の左縁に沿い下側へ延出されて、当該中央側開口部位と共に逆Ｌ字状開口部２１ａを構成するように上記下側前壁部の左側部位に形成されている。
【００３６】
後側ケーシング部材２２は、図６にて示すごとく、その底壁であるＬ字状後壁の外周縁部から周壁部を前方へ屈曲するように延出させて形成されている。ここで、後側ケーシング部材２２のＬ字状後壁は、前側ケーシング部材２１の上記上側前壁部及び上記下側前壁部にそれぞれ対向する上側後壁部及び下側後壁部でもって形成されており、当該下側後壁部は、上記上側後壁部の下縁に沿い左側へ延出されて、当該上側後壁部と共に、上記Ｌ字状後壁を構成している。
【００３７】
当該後側ケーシング部材２２の上記下側後壁部は、図６にて示すごとく、前側ケーシング部材２１の開口部２１ａに対向するように逆Ｌ字状開口部２２ａを有しており、この逆Ｌ字状開口部２２ａは、後側ケーシング部材２２の上記下側後壁部の左右方向中央部位に形成してなる中央側開口部位と、この中央側開口部位と一体となって上記下側後壁部の左側部位に形成してなる左側開口部位２２ｂとでもって構成されている。
【００３８】
ここで、当該後側ケーシング部材２２の左側開口部位２２ｂは、前側ケーシング部材２１の開口部２１ａの左側開口部位に対向するように当該後側ケーシング部材２２の上記中央側開口部位の左縁に沿い下側へ延出され、かつ、当該中央側開口部位と共に逆Ｌ字状開口部２２ａを構成するように当該後側ケーシング部材２２の上記下側後壁部の左側部位に形成されている。なお、左側開口部位２２ｂは、その右上側隅角部にて、後側ケーシング部材２２の上記中央側開口部位の左下側隅角部と一体となって相互に連通している。
【００３９】
本第１実施形態では、後側ケーシング部材２２の開口部２２ａのうちの左側開口部位２２ｂが、その後述する球導入体Ａ（図６参照）の対応部位と共に、球発射レール１３の前側にて、当該球発射レール１３の球発射基端部の直上に位置して、後述のごとく球送り装置２０の球送り口部２２ｆ（図５参照）を構成しており、この球送り口部２２ｆが、遊技球を球発射装置１０の球発射レール１３の球発射基端部側に送る役割を果たす。
【００４０】
また、当該球送り装置２０は、図６にて示すごとく、球導入体Ａ、横方向回動体Ｂ及び電磁駆動体Ｃを備えており、これら球導入体Ａ、横方向回動体Ｂ及び電磁駆動体Ｃは、ケーシング２３内に収容されている。
【００４１】
球導入体Ａは、図６から分かるように、前側ケーシング部材２１のＬ字状開口部２１ａと後側ケーシング部材２２のＬ字状開口部２２ａとの間に位置するように、後側ケーシング部材２２の後壁の上記下側後壁部にその前側から組み付けられている。
【００４２】
当該球導入体Ａは、図６にて示すごとく、球導入部材２４を備えている。この導入部材２４は、球導入壁部２４ａ及び環状壁部２４ｂを有しており、球導入壁部２４ａには、球導入口部２４ｃが、球受け皿Ｓからの遊技球を球導入部材２４内に導入するように形成されている。
【００４３】
環状壁部２４ｂは、球導入壁部２４ａの外周縁部から後方へ環状に延出するように形成されている。ここで、この環状壁部２４ｂは、その右壁部、上壁部及び下壁部（以下、案内路部２４ｄという）にて、球導入壁部２４ａの右縁部、上縁部及び下縁部からそれぞれ後方へＬ字状に折れ曲がって延出されており、当該環状壁部２４ｂの左壁部は、球導入壁部２４ａの左縁部を前側左方へ緩やかに凸な湾曲状にて後方へ延出させることで形成されている。
【００４４】
また、導入部材２４は、左側壁部２４ｅと、環状壁部２４ｂの下壁部である案内路部２４ｄと共に球案内路２４ｇを構成する案内路部２４ｆとを有する。ここで、左側壁部２４ｅは、球導入壁部２４ａの下側部位の左縁部から前側左方へ緩やかに凸な湾曲状にて後方へ延出されている。
【００４５】
また、案内路部２４ｆは、左側壁部２４ｅの下縁部から右側へＬ字状に折れ曲がるように延出されており、当該案内路部２４ｆは、案内路部２４ｄの左端部から左側壁部２４ｅの下縁部に沿うように左前側へ凸な湾曲形状にて後方へ延出されて、さらに、後側ケーシング部材２２の逆Ｌ字状開口部２２ａの左側開口部位２２ｂを通り球発射レール１３の発射端部側へ延出している。これにより、本第１実施形態では、案内路部２４ｆの延出端部、左側壁部２４ｅ及び左側開口部位２２ｂの右側内縁部２２ｃでもって形成れるＵ字状開口部が、球送り口部２２ｆ（図５参照）を構成する。
【００４６】
本第１実施形態では、後述のごとく、球導入口部２４ｃから導入される遊技球を案内路部２４ｄから案内路部２４ｆにかけてその上面に沿い円滑に案内するため、案内路部２４ｆは、その上面にて、案内路部２４ｄとの境界部位にて、案内路部２４ｄよりも下方へ階段状に低く位置するように当該案内路部２４ｄから延出されている。また、案内路部２４ｆは、その延出方向に沿い順次下方へ傾斜している。なお、球案内路２４ｇは、球導入口部２４ｃ内に導入される遊技球を、案内路部２４ｄから案内路部２４ｆにかけて後述のように球発射レール１３側へ案内する役割を果たす。
【００４７】
また、当該球導入体Ａは、図６にて示すごとく、球導入部材２４と一体的に形成した収容部材２５を備えており、この収容部材２５は、横方向回動体Ｂを横方向に回動可能に収容する役割を果たす。当該収容部材２５は、底壁部２５ａを有しており、この底壁部２５ａは、導入部材２４の案内路部２４ｄの後縁下端部から後方へ延出するとともに案内路部２４ｄと平行に延出するように案内路部２４ｄと一体的に形成されている。なお、底壁部２５ａは、その上面にて、導入部材２４の案内路部２４ｄの上面よりも下方へ低くかつ案内路部２４ｆの上面よりも上方へ高く位置するように形成されている。
【００４８】
また、当該収容部材２５は、図６にて示すごとく、両Ｌ字状壁部２５ｂ、２５ｃを有しており、Ｌ字状壁部２５ｂは、底壁部２５ａの右端部から上方へ延出した後左方へ折れ曲がって延出するようにＬ字状に形成されている。Ｌ字状壁部２５ｃは、底壁部２５ａの左端部から下方へ延出した後左方へ延出するようにＬ字状に形成されており、当該Ｌ字状壁部２５ｃは、その延出端部にて、案内路部２４ｆの左縁下部と一体となっている。
【００４９】
ここで、上述した後側ケーシング部材２２における左側開口部位２２ｂの右側内縁部２２ｃを形成する突出壁部２２ｅ（図６参照）が、Ｌ字状壁部２５ｃの下方への延出壁部と導入部材２４の案内路部２４ｆとの間にて、Ｌ字状壁部２５ｃの左方への延出壁部上に沿い介装されている。これにより、突出壁部２２ｅが、規制案内部材２６（後述する）とともに、導入部材２４の左側壁部２４ｅの右側面及び案内路部２４ｆの上面に沿い案内される遊技球を案内路部２４ｆの上面から右側へ外れないように規制しつつ円滑に球送り口部２２ｆに向けて案内する役割を兼ねている。
【００５０】
本第１実施形態では、突出壁部２２ｅは、後側ケーシング部材２２のＬ字状開口部２２ａにおいてその上記中央側開口部位の下側内縁部２２ｄの左端部（図６参照）と左側開口部位２２ｂの右端部との間において、後側ケーシング部材２２の上記下側後壁部から前方へ突出形成されており、当該突出壁部２２ｅは、その上面にて、球受け板２７（後述する）の左方への回動の邪魔にならないように、収容部材２５の底壁部２５ａの上面と同一平面状に位置している。
【００５１】
また、当該球導入体Ａは、図６にて示すごとく、規制案内部材２６を備えている。この規制案内部材２６は、案内路部２４ｆの球案内方向右側中間部位にその上面側から組み付けられており、当該規制案内部材２６は、後側ケーシング部材２２の突出壁部２２ｅとともに、導入部材２４の左側壁部２４ｅの右側面及び案内路部２４ｆの上面に沿い案内される遊技球を案内路部２４ｆの上面から右側へ外れないように規制しつつ円滑に球送り口部２２ｆに向けて案内する。
【００５２】
当該規制案内部材２６は、図６〜図８のいずれかにて示すごとく、扇状底壁２６ａと、規制案内壁２６ｂとを有しており、扇状底壁２６ａは、ピン２６ｃを、案内路部２４ｆの球案内方向右側中間部位の右側縁部に形成した貫通孔部２４ｈに嵌装するとともに、貫通孔部２６ｅを通しねじ２６ｄを案内路部２４ｆの雌ねじ孔部２４ｉに締着することで、案内路部２４ｆの球案内方向右側中間部位に組み付けられている。
【００５３】
ここで、ピン２６ｃは、図８にて示すごとく、扇状底壁２６ａの半径方向中間部位からその下方に向け突設されている。貫通孔部２６ｅは、扇状底壁２６ａのピン２６ｃの突設基端部と同一の半径線上においてピン２６ｃよりも中心部位側に貫通状に形成されている。貫通孔部２４ｈ及び雌ねじ孔部２４ｉは、図６にて示すごとく、案内路部２４ｆの球案内方向右側中間部位の右側縁部に沿い互いに間隔をおいて形成されている。
【００５４】
これにより、当該扇状底壁２６ａは、その円弧状外周縁部を前方に向けて位置させるように、案内路部２４ｆの球案内方向右側中間部位上に組み付けられている。このことは、扇状底壁２６ａの円弧状外周縁部は、その外面（前側面）にて、球案内通路２４ｇの球案内方向に沿い位置することを意味する。
【００５５】
規制案内壁２６ｂは、図６或いは図８にて示すごとく、扇状底壁２６ａの円弧状外周縁部から上方へＬ字状に折れ曲がるように延出されており、当該規制案内壁２６ｂの外面（前側面）は、扇状底壁２６ａの円弧状外周縁部の外面と同様に球案内通路２４ｇの球案内方向に沿うように位置している。
【００５６】
当該規制案内壁２６ｂは、断面三角形状隅角柱部２６ｆを有しており、この隅角柱部２６ｆは、図６にて示すごとく、規制案内壁２６ｂの左側端部をその外面側（前面側）から後方へ断面Ｖ字形状に突出形成することで構成されている。
【００５７】
当該隅角柱部２６ｆは、図８にて示すように、上側溝部２６ｇ、中側溝部２６ｈ及び下側溝部２６ｉを有しており、これら上側溝部２６ｇ、中側溝部２６ｈ及び下側溝部２６ｉは、隅角柱部２６ｆの左側角部にて、その上端部から下端部にかけて順次間隔をおいて形成されている。
【００５８】
ここで、上側溝部２６ｇ、中側溝部２６ｈ及び下側溝部２６ｉは、規制案内壁２６ｂの外面側（前面側）から内面側（後面側）に向けて凹状となるように、かつ、規制案内壁２６ｂの内面に左右方向に沿うように隅角柱部２６ｆに形成されている。
【００５９】
また、上側溝部２６ｇは、図８にて示すごとく、その開口部から底部にかけて、断面略Ｌ字凹状に形成されている。詳細には、この上側溝部２６ｇの上側内面及び底側内面は、当該上側溝部２６ｇの上側開口内縁部から底部内面下端部にかけてＬ字状に形成されている。また、当該上側溝部２６ｇの下側内面は、当該上側溝部２６ｇの下側開口内縁部から底部側にかけて上側に向け緩やかに凸な断面湾曲状にて延出するように形成されており、当該上側溝部２６ｇの下側内面は、その延出端部にて下方に向け断面Ｌ字状に屈曲することで、当該上側溝部２６ｇの底面との間にて、下方に向け断面Ｕ字形状となる窪み部２６ｊを形成している。
【００６０】
以上のように上側溝部２６ｇを形成することで、当該上側溝部２６ｇは、糸を後述のように上側溝部２６ｇ内にその開口部から進入させた後窪み部２６ｊ内に係止させる役割を果たす。なお、上側溝部２６ｇは、導入部材２４の球導入口部２４ｃの内縁下部よりも下方に位置している。
【００６１】
中側溝部２６ｈは、図８にて示すごとく、その開口部から底部にかけて、断面略Ｌ字凹状に形成されている。詳細には、この中側溝部２６ｈの上側内面及び底側内面は、当該中側溝部２６ｈの上側開口内縁部から底部側にかけて下方に向け緩やかに傾斜するとともに底部内面下端部にかけてＬ字状に形成されている。また、当該中側溝部２６ｈの下側内面は、当該中側溝部２６ｈの下側開口内縁部から底部側にかけて上側に向け緩やかに凸な断面湾曲状にて延出するように形成されており、当該中側溝部２６ｈの下側内面は、その延出端部にて下方に向け断面Ｌ字状に屈曲することで、当該中側溝部２６ｈの底部内面との間にて、下方に向け断面Ｕ字形状となる窪み部２６ｋを形成している。
【００６２】
以上のように中側溝部２６ｈを形成することで、当該中側溝部２６ｈは、糸を後述のように中側溝部２６ｈ内にその開口部から進入させた後窪み部２６ｋ内に係止させる役割を果たす。
【００６３】
また、下側溝部２６ｉは、図８にて示すごとく、その開口部から底部にかけて、断面略Ｔ字凹状に形成されている。詳細には、この下側溝部２６ｉは、その上側内面にて、上側開口内縁部から底部側にかけて下側に向け緩やかに凸な断面湾曲状にて延出するとともに、その延出端部にて上方に向け断面Ｌ字状に屈曲することで、上方に向け断面逆Ｕ字形状となる窪み部を形成する。また、当該下側溝部２６ｉは、その下側内面にて、下側開口内縁部から底部側にかけて上側に向け緩やかに凸な断面湾曲状にて延出するとともに、その延出端部にて下方に向け断面Ｌ字状に屈曲することで、下方に向け断面Ｕ字形状となる窪み部２６ｍを形成している。
【００６４】
以上のように下側溝部２６ｉを形成することで、当該下側溝部２６ｉは、糸を後述のように下側溝部２６ｉ内にその開口部から進入させた後窪み部２６ｍ内に係止させる役割を果たす。なお、各窪み部２６ｊ、２６ｋ及び２６ｍの前後方向開口幅は、後述する糸付き遊技球１００の糸１０１を窪み部２６ｊ、２６ｋ或いは２６ｍ内に押圧により嵌り込ませ得る程度の値となっている。
【００６５】
横方向回動体Ｂは、図６にて示すごとく、球受け板２７を有しており、この球受け板２７は、円筒状ボス２８にて、支持軸２９を介し、横方向に回動可能となるように、後側ケーシング部材２２のＬ字状開口部２２ａのうちの上記中央側開口部位の下側内縁部２２ｄの左端部（図６参照）に支持されている。支持軸２９は、その基端部にて、Ｌ字状開口部２２ａのうちの上記中央側開口部位の下側内縁部２２ｄに上方から支持されており、当該支持軸２９は、その基端部から上方へ延出している。
【００６６】
ここで、円筒状ボス２８は、球受け板２７の基端部から下方へ円筒状に延出されている。これに伴い、当該球受け板２７は、その下面にて、支持軸２９により、円筒状ボス２８を介し、球導入部材２４の案内路部２４ｄの上面に平行となるように維持されている。なお、球受け板２７は、その基端部から球導入部材２４の環状部２４ｂ内に延出している。
【００６７】
当該球受け板２７は、凹部２７ａを有しており、この凹部２７ａは、球受け板２７の延出端側中間部位を球受け板２７の基端部側へ湾曲凹状に切り欠くことで、形成されている。これに伴い、球受け板２７の延出端部には、凹部２７ａを挟んでその左右両側において、左右両側腕部２７ｂ、２７ｃが形成されている。なお、凹部２７ａは、その内部に遊技球を受承可能に形成されている。このことは、当該凹部２７ａは、球受け部としての役割を有することを意味する。
【００６８】
このように構成した横方向回動体Ｂにおいては、球受け板２７は、凹部２７ａにて、球導入部材２４の球導入口部２４ｃに対向しているとき、当該球受け板２７は、球導入口部２４ｃから導入される遊技球を案内路部２４ｄ上にて凹部２７ａ内に受承する。また、当該球受け板２７は、その左側への回動に伴い、右側腕部２７ｃにて、球導入口部２４ｃに対向して当該球導入口部２４ｃからの後続の遊技球の導入を阻止しつつ、上述のように受承した遊技球を案内路部２４ｆ上に放出する。
【００６９】
電磁駆動体Ｃは、ケーシング２３内にて前側ケーシング部材２１の上記上壁部側に収容されている（図６参照）。当該電磁駆動体Ｃは、図６にて示すごとく、電磁石３０ａと、鉄板等の磁性板からなる傾動レバー３０ｂと、圧縮コイルスプリング３０ｃとにより構成されており、電磁石３０ａは、その前壁にて、前側ケーシング部材２１の上記上壁部に組み付けられている。
【００７０】
ここで、当該電磁石３０ａは、ソレノイドを棒状鉄心に同軸的に巻装してなるもので、この電磁石３０ａは、その棒状鉄心の軸にて、左右方向に沿うように前側ケーシング部材２１の上記上壁部に組み付けられている。これに伴い、当該電磁石３０ａは、その棒状鉄心の左側端部（吸引端部）にて、左方を臨んでいる。
【００７１】
このように構成した電磁石３０ａにおいては、そのソレノイドが、制御回路３０ｄ（図７参照）からの電圧の印加により励磁されたとき、上記棒状鉄心が、その吸引端部にて、吸引力を発生する。また、この吸引力は、上記ソレノイドが、制御回路３０ｄからの電圧の印加の停止により消磁されたとき、消滅する。
【００７２】
傾動レバー３０ｂは、その基端部にて、電磁石３０ａの上壁右端部に左右方向に傾動可能に支持されており、当該傾動レバー３０ｂは、その基端部から下方に向けて長手状に延出している。
【００７３】
しかして、当該傾動レバー３０ｂは、その長手方向中間部位にて、電磁石３０ａのソレノイドの励磁に伴い、上記棒状鉄心の吸引端部により吸引される。また、この吸引は、電磁石３０ａのソレノイドの消磁により、停止される。
【００７４】
本第１実施形態において、当該傾動レバー３０ｂは、係止端部３１を有しており、この係止端部３１は、傾動レバー３０ｂの延出端部の幅方向両側部を切除することで形成されている。しかして、この傾動レバー３０ｂは、その係止端部３１にて、球受け板２７の上面に形成した左右両側円弧状係止片２７ｄの間に介装されている。ここで、当該左右両側係止片２７ｄは、球受け板２７の上面にその左右方向に互いに所定間隔（係止端部３１の板厚よりも幾分広い間隔）をおいて突設されている。なお、当該左右両側係止片２７ｄは、その各円弧面の頂部を対向させるように突設されている。
【００７５】
圧縮コイルスプリング３０ｃは、その両端部にて、傾動レバー３０ｂの基端部に形成した突起３２と電磁石３０ａの上壁に形成した突起３３との間に張設されている。なお、突起３２は、傾動レバー３０ｂの基端部をその幅方向中間部位にて突起３２に相当する部位を残すように切り欠くことで形成されている。また、突起３３は、電磁石３０ａの上壁の中間部位を切り起こすことで形成されている。
【００７６】
これによれば、傾動レバー３０ｂは、その基端部にて、電磁石３０ａの吸引力の消滅のもとに、圧縮コイルスプリング３０ｃにより右方へ引っ張られて、係止端部３１にて、左側斜め下方に向け延出するように傾動する。このことは、横方向回動体Ｂの球受け板２７が、支持軸２９の軸周りに左方へ回動して、右側腕部２７ｃを球導入口部２４ｃに対向させることを意味する。
【００７７】
また、当該傾動レバー３０ｂは、電磁石３０ａによりその吸引力にて吸引されて、圧縮コイルスプリング３０ｃに抗して傾動する。このことは、横方向回動体Ｂの球受け板２７が、支持軸２９の軸周りに左方へ回動して、凹部２７ａを球導入口部２４ｃに対向させることを意味する。
【００７８】
以上のように構成した本第１実施形態において、当該パチンコ遊技機が、遊技者による遊技可能状態にあるものとする。このような状態において、遊技者がハンドルＨを操作していなければ、球発射装置１０は、そのロータリーソレノイド１１（図２参照）にて消磁のもとに、停止状態にある。
【００７９】
また、電磁駆動体Ｃでは、現段階において、電磁石３０ａは、そのソレノイドの消磁のもとに、吸引力を発生していないため、傾動レバー３０ｂは、圧縮コイルスプリング３０ｃの引っ張り力を受けて、左方傾動端に位置する。
【００８０】
これに伴い、横方向回動体Ｂにおいては、球受け板２７が、左側円弧状係止片２７ｄにて、左方傾動端に位置する傾動レバー３０ｂの係止端部３１により左側へ押動されて、円筒状ボス２８を軸として、図６にて図示時計方向へ回動している。
【００８１】
従って、球受け板２７の凹所２７が導入部材２４の球導入口部２４ｃから左側に外れて、当該球受け板２７の右側腕部２７ｃが、導入部材２４の球導入壁部２４ａの球導入口部２４ｃに対向して位置する。このため、球導入口部２４ｃからの遊技球の導入が阻止される（図１０参照）。なお、図１０にて示す遊技球は、現段階では、存在しないものとする。
【００８２】
現段階において、遊技球が、先行遊技球として、既に球発射レール１３の球発射端部上に位置していれば、当該先行遊技球は、上記槌の上記槌部によって打たれて球発射レール１３に沿い上記ガイドレールに向けて発射される。このように発射された先行遊技球は上記ガイドレールの内側レール部及び外側レール部の間を通り上記遊技領域内に案内される。これに伴い、当該先行遊技球は、遊技盤ＢＢの盤面に沿い各種の盤面部品のいずれかに向け或いはこの盤面部品からそれて転動していく。
【００８３】
然る後、上記先行遊技球に後続する遊技球が、後続遊技球として、球受け皿Ｓから球送り装置２０の球導入口部２４ｃに向けて導出される。このような段階にて電磁駆動体Ｃの電磁石３０ａが、そのソレノイドにて、制御回路３０ｄから電圧を印加されると、電磁石３０ａは、そのソレノイドの励磁のもとに、傾動レバー３０ｂを圧縮コイルスプリング３０ｃに抗して傾動させる。これに伴い、傾動レバー３０ｂは、左側傾動端から右方へ傾動し、その係止端部３１にて、係止片２７ｄを介して、横方向回動体Ｂの球受け板２７を、支持軸２９の軸周りに右側へ回動させて、凹部２７ａを球導入口部２４ｃに対向させる。
【００８４】
このような段階において、上述の後続遊技球が、球導入口部２４ｃにより導入されると、当該後続遊技球は、球受け板２７の凹部２７ａにより受承される。然る後、電磁石３０ａのソレノイドが、制御回路３０ｄからの電圧印加停止により消磁されると、球受け板２７が、左側へ回動して、右側腕部２７ｃにて、球導入口部２４ｃに対向してその後の遊技球の導入を阻止するとともに、凹部２７ａにて球導入口部２４ｃから左方へ外れて、上述の受承後続遊技球を案内路部２４ｄ上に放出する。これに伴い、当該後続遊技球は、さらに案内路部２４ｆにより案内されて、球送り口部２２ｆから発射レール１３の球発射端部側に送られる（図９〜図１４参照）。なお、このような段階では、後続遊技球は、糸付き遊技球ではない。
【００８５】
ここで、球案内路２４ｇを構成する案内路部２４ｄ及び案内路部２４ｆは、案内路部２４ｄから案内路部２４ｆにかけて、図６にて示すごとく、斜め前側右方へ突な湾曲形状となっていることから、上述のように、後続遊技球が球案内路２４ｇにより案内される過程においては、当該後続遊技球は、案内路部２４ｆによる案内過程において規制案内部材２６と球導入部材２４の左側壁部２４ｅの間を通り案内されていく。
【００８６】
ここで、上述の後続遊技球が不正な糸付き遊技球１００（図１０参照）である場合、この糸付き遊技球１００が、上述のように案内路部２４ｆにより案内されると、当該糸付き遊技球１００は、糸１０１を付随させながら案内されることになる。なお、糸付き遊技球１００は、遊技球に糸１０１の一端部を固着してなるもので、当該糸１０１の他端部は、受け皿Ｓ内にて遊技者により把持されているものとする。
【００８７】
上述のように糸付き遊技球１００が糸１０１を付随させながら案内されると、当該糸１０１が、その他端部にて、受け皿Ｓ内で遊技者により把持されているため、当該糸１０１は、受け皿Ｓの凹状貯留部Ｓ１から球導入部材２４の球導入口部２４ｃを通りさらに規制案内部材２６と球導入部材２４の左側壁部２４ｅの間を通って、案内路部２４ｆにより案内される糸付き遊技球１００の遊技球により発射レール１３の発射端部側に向けて引っ張られることとなる。
【００８８】
このとき、上述のごとく球案内路２４ｇが案内路部２４ｄから案内路部２４ｆにかけて斜め前側右方へ突な湾曲形状となっており、しかも、規制案内部材２６が案内路部２４ｆの球案内方向右側中間部位に上述のごとく組み付けられていることから、糸１０１は、球案内路２４ｇの案内路部２４ｄから案内路部２４ｆにかけて斜め前側右方へ突な湾曲形状となって、受け皿Ｓの凹状貯留部Ｓ１と案内路部２４ｆにより案内される糸付き遊技球１００の遊技球との間で当該遊技球の引っ張り力を受ける。
【００８９】
これに伴い、糸１０１は、糸付き遊技球１００の遊技球に付随する中間糸部位にて、規制案内部材２６の外面（前側面）に圧接しながら糸付き遊技球１００の遊技球により引っ張り込まれるようにして、糸付き遊技球１００の遊技球に付随していく。
【００９０】
ここで、案内路部２４ｆの上面は、球導入部材２４の球導入口部２４ｃの内縁部よりも下方へ低く位置するため、糸１０１は、その中間糸部位にて、球導入口部２４ｃから糸付き遊技球１００の遊技球に向けて下方へ傾斜する状態で当該遊技球に付随していく。
【００９１】
このことは、糸１０１は、その中間糸部位にて、球導入口部２４ｃから糸付き遊技球１００の遊技球に向けて下方へ傾斜しながら、受け皿Ｓと案内路部２４ｆにより案内される糸付き遊技球１００の遊技球との間において張力を発揮して、規制案内部材２６の外面（規制案内壁２６ｂの外面）を押圧することを意味する。
【００９２】
このため、糸１０１の中間糸部位が、規制案内部材２６（規制案内壁２６ｂ）によりその外面にて移動しにくいように規制されるとともに、規制案内部材２６の上側溝部２６ｇ、中側溝部２６ｈ及び下側溝部２６ｉのいずれか内にその開口部から進入するようにて嵌り込んで係止する。換言すれば、上述のように、糸１０１は、その中間糸部位にて、球導入口部２４ｃから糸付き遊技球１００の遊技球に向けて下方へ傾斜している。従って、糸１０１の中間糸部位が、例えば、規制案内部材２６の上側溝部２６ｇに嵌り込んだ場合には、当該糸１０１の中間糸部位は、上側溝部２６ｇの下側内面に摺接しながら窪み部２６ｊ内に押圧により嵌り込んで係止する。また、糸１０１の中間糸部位が規制案内部材２６の中側溝部２６ｈに嵌り込んだ場合には、当該糸１０１の中間糸部位は、中側溝部２６ｈの下側内面に摺接しながら窪み部２６ｋ内に押圧により嵌り込んで係止する。また、糸１０１の中間糸部位が規制案内部材２６の下側溝部２６ｉに嵌り込んだ場合には、当該糸１０１の中間糸部位は、下側溝部２６ｉの下側内面に摺接しながら窪み部２６ｍ内に押圧により嵌り込んで係止する。
【００９３】
このようにして窪み部２６ｇ、２６ｋ或いは２６ｍ内に嵌り込んだ糸１０１の中間糸部位は、窪み部２６ｇ、２６ｋ或いは２６ｍの内面と摩擦接触しながら糸付き遊技球１００の遊技球により引っ張られることとなる。しかも、規制案内部材２６の上側溝部２６ｇ、中側溝部２６ｈ及び下側溝部２６ｉのいずれもが、球導入部材２４の球導入口部２４ｃの内縁下部よりも下方に位置し、かつ、案内路部２４ｆにより案内される遊技球は、下側溝部２６ｉよりも下方に位置することから、糸１０１の中間糸部位は、球導入口部２４ｃの内縁下部と糸付き遊技球１００の遊技球との間にて、規制案内部材２６の窪み部２６ｇ、２６ｋ或いは２６ｍにより上方へ折れ曲がった状態になるように屈曲する。
【００９４】
従って、上述のように規制案内部材２６の上側溝部２６ｇ、中側溝部２６ｈ及び下側溝部２６ｉのいずれかに嵌り込んで係止した糸付き遊技球１００の糸１０１の中間糸部位は、自由に移動できなくなる。これに伴い、糸付き遊技球１００は、自由に移動できなくなり、球発射装置１０の発射レール１３上の球発射端部まで移動することができなくなったり、球発射端部まで移動して発射されても遊技領域まで到達することが困難になる。その結果、遊技者が、糸付き遊技球１００の糸の他端部を用いて不正行為を行おうとしても、当該不正行為が不能となり未然に防止され得る。
（第２実施形態）
図１５は、本発明の第２実施形態の要部を示している。この第２実施形態では、上記第１実施形態にて述べた球送り装置２０において、規制案内部材２６に代えて、規制案内部材２６Ａを採用し、かつ、傾動板機構２６Ｂを付加的に採用した構成を有する。
【００９５】
規制案内部材２６Ａは、上記第１実施形態にて述べた規制案内部材２６と同様に、案内路部２４ｆの球案内方向右側中間部位にその上面側から組み付けられて、後側ケーシング部材２２の突出壁部２２ｅとともに、導入部材２４の左側壁部２４ｅの右側面及び案内路部２４ｆの上面に沿い案内される遊技球を案内路部２４ｆの上面から右側へ外れないように規制しつつ円滑に球送り口部２２ｆに向けて案内する。
【００９６】
当該規制案内部材２６Ａは、図１５にて示すごとく、上記第１実施形態にて述べた規制案内部材２６の扇状底壁２６ａと、案内壁２６ｎと、断面三角形状規制柱２６ｐとを備えている。
【００９７】
扇状底壁２６ａは、上記第１実施形態にて述べたように、案内路部２４ｆの球案内方向右側中間部位に貫通孔部２４ｈ及び雌ねじ孔部２４ｉを介し組み付けられている。
【００９８】
案内壁２６ｎは、扇状底壁２６ａの円弧状外周縁部から上方へＬ字状に折れ曲がるように延出されており、当該規制案内壁２６ｂの外面（前側面）は、扇状底壁２６ａの円弧状外周縁部の外面と同様に球案内通路２４ｇの球案内方向に沿うように位置している。
【００９９】
当該案内壁２６ｎは、断面三角形状隅角柱部２６ｑを有しており、この隅角柱部２６ｑは、案内壁２６ｎの左側端部をその外面側（前面側）から後方へ断面Ｖ字形状に突出形成することで構成されている。
【０１００】
当該隅角柱部２６ｑは、図１５にて示すごとく、長手状開口部２６ｒ及び中空部２６ｓを有しており、長手状開口部２６ｒは、隅角柱部２６ｆの左側角部の上下方向中間部位に上下方向に長手状に切欠形成されている。
【０１０１】
中空部２６ｓは、隅角柱部２６ｑにその下端面から断面三角形状にて長手状にくり抜き形成されている。当該中空部２６ｓは、その上端部にて、長手状開口部２６ｒを通して外方に開口しており、当該中空部２６ｓの下端部は下方に向けて開口している。
【０１０２】
規制柱２６ｐは、中空部２６ｓの断面三角形状と相似な断面三角形状を有しており、当該規制柱２６ｐは、隅角柱部２６ｑの中空部２６ｓ内にその下端部から同軸的に上下方向に摺動可能に嵌装されている。
【０１０３】
ここで、当該規制柱２６ｐは、その左側隅角部のうち上端隅角部２６ｔにて、隅角柱部２６ｑの長手状開口部２６ｒに対向可能となるように隅角柱部２６ｑの中空部２６ｓ内に嵌装されている。ここで、上端隅角部２６ｔは、その先端角部にて、長手状開口部２６ｒの横方向内縁部よりも当該長手状開口部２６ｒの外方に突出している。なお、本第２実施形態では、規制柱２６ｐは、その左側隅角部のうち上端隅角部２６ｔを除く部位に、切除されて、Ｌ字状に形成されている（図１５参照）。
【０１０４】
また、規制柱２６ｐは、その後面にて、ピン２６ｕを介し、隅角柱部２６ｑの後壁に形成した長手状貫通穴部２６ｖ（図１６参照）に上下方向に摺動可能に支持されており、当該規制柱２６ｐは、その下端部にて、凹所２４ｊ（後述する）内に延出している。
【０１０５】
ピン２６ｕは、規制柱２６ｐの後面から後方へ延出されており、当該ピン２６ｐは、隅角柱部２６ｑの長手状貫通穴部２６ｖを通り後方へ延出して、ストップリング２６ｗにより抜け止めされている。また、長手状貫通穴部２６ｖは、隅角柱部２６ｑの後壁のうち長手状開口部２６ｒに対する対応部位にて、上下方向に長手状に形成されている。
【０１０６】
しかして、規制柱２６ｐは、その上動に伴い、上端隅角部２６ｔにて、隅角柱部２６ｑの長手状開口部２６ｒに対向する。このことは、上端隅角部２６ｔの上面と長手状開口部２６ｒの上部内面との上下方向間隙は無いことを意味する。また、規制柱２６ｐは、その下動に伴い、上端隅角部２６ｔにて、隅角柱部２６ｑの長手状開口部２６ｒの直下に移動する。このことは、上端隅角部２６ｔの上面と長手状開口部２６ｒの上部内面との上下方向間隙は、長手状開口部２６ｒの上下方向開口長さに対応することを意味する。
【０１０７】
傾動板機構２６Ｂは、図１５にて示すごとく、矩形板状傾動板２６ｘと、コイル状捩りばね２６ｙと、ピン２６ｚとを有している。
【０１０８】
傾動板２６ｘは、案内路部２４ｆの球案内方向中間部位に貫通孔部２４ｈ及び雌ねじ孔部２４ｉの左側にて形成した凹所２４ｉ（図１５参照）内に、規制柱２６ｐの下端部と共に収容されており、当該傾動板２６ｘは、コイル状捩りばね２６ｙを介し次のようにして上下方向に傾動可能に支持されて、後方に向け延出している。なお、凹所２４ｊは、案内路部２４ｆの球案内方向中間部位にその上面から下方に向け断面コ字状かつ箱状に形成されている。
【０１０９】
当該傾動板２６ｘは、左右両側円筒部ｘ（図１６参照）を有しており、当該左右両側円筒部２６ｘは、互いに左右に同軸的に対向するように、傾動板２６ｘの基端部のうちその左右両側部位に下方へ突出して形成されている。
【０１１０】
コイル状捩りばね２６ｙは、上述のごとく凹所２４ｊ内にてピン２６ｚの基端部に同軸的に嵌装されており、当該コイル状捩りばね２６ｙは、その両端部にて、凹所２４ｊの底面部及び傾動板２６ｘの下面部に係止している。これにより、傾動板２６ｘは、ピン２６ｚを軸として、上方に向け傾動するように、コイル状捩りばね２６ｙにより付勢されている。
【０１１１】
ピン２６ｚは、その基端部にて、左側壁部２４ｅのうち凹所２４ｊ内空所前部に対する対応部位に形成した貫通孔部に回動可能に挿通され、かつ、凹所２４ｊ内空所前部内に位置する傾動板２６ｘの左側円筒部ｘ、コイル状捩りばね２６ｙのコイル部及び傾動板２６ｘの右側円筒部ｘに挿通されており、このピン２６ｚの挿通先端部は、凹所２４ｊ内空所前部右側内壁部に回動可能に支持されている。
【０１１２】
ここで、傾動板２６ｘの左右両側円筒部ｘは、ピン２６ｚの基端部に相対回動不能に支持されている。このことは、ピン２６ｚが、傾動板２６ｘと一体となって、当該傾動板２６ｘの傾動方向に回動することを意味する。
【０１１３】
また、傾動板２６ｘは、その延出端部にて、ステイｙ及びピンｚを介し規制柱２６ｐの下端部にその左側から連結されている。ここで、ステイｙは、傾動板２６ｘの延出端部の右側部位から下方へ延出しており、当該ステイｙの延出端部は、環状に形成されている。ピンｚは、規制柱２６ｐの下端部の左後側部位から右方へ延出しており、このピンｚの延出端部は、ステイｙの環状延出端部に同軸的に相対回動可能に嵌装されている。
【０１１４】
しかして、傾動板２６ｘは、コイル状捩りばね２６ｙに抗して凹所２４ｊの底面部に向けて、ピン２６ｚの軸周りに傾動することで、凹所２４ｊ内に収容されるようになっている。また、当該傾動板２６ｘは、コイル状捩りばね２６ｙの付勢力により、ピン２６ｚの軸周りに上方へ傾動することで、凹所２４ｊから上方へ傾斜状に突出するようになっている。なお、傾動板２６ｘが上述のごとく凹所２４ｊ内に収容された状態では、当該傾動板２６ｘの上面は、案内路部２４ｆの上面と同一面を構成するようになっている。
【０１１５】
また、傾動板２６ｘが、下方へ傾動して凹所２４ｊ内に納まるとき、規制柱２６ｐがステイｙ及びピンｚを介し下動する（図１６（ｂ）参照）。また、傾動板２６ｘが、上方へ傾動して凹所２４ｊから脱出するとき、規制柱２６ｐがステイｙ及びピンｚを介し上動する（図１６（ａ）参照）。その他の構成は、上記第１実施形態と同様である。
【０１１６】
このように構成した本第２実施形態において、傾動板２６ｘ及び規制柱２６ｐが図１６（ａ）にて示す状態にあるものとする。
【０１１７】
このような状態において、上記第１実施形態と同様に、糸付き遊技球１００が案内路部２４ｆにより発射レール１３の球発射端部に向けて案内されると、当該糸付き遊技球１００は、糸１０１を付随させながら案内されることになる（図１７〜図２１参照）。
【０１１８】
これに伴い、糸付き遊技球１００が傾動板２６ｘに向け案内される。すると、傾動板２６ｘは、当該糸付き遊技球１００によりその自重でもって凹所２４ｊ内に向け捩りばね２６ｙに抗して傾動して、規制柱２６ｐを下動させて、図１６（ｂ）にて示す状態にする。然る後、糸付き遊技球１００が傾動板２６ｘを通りすぎると、傾動板２６ｘが、糸付き遊技球１００の自重から開放されて凹所２４ｊから上方へ傾動して規制柱２６ｐを上動させて、図１６（ａ）にて示す状態にする。
【０１１９】
このような過程においては、糸付き遊技球１００は、傾動板２６ｘを介し糸１０１を付随させながら案内されることになる。従って、傾動板２６ｘの上述のような下方への傾動中において、糸付き遊技球１００の糸１０１は、その中間糸部位にて、各溝部２６ｇ〜２６ｉに代わって、上記第１実施形態と実質的に同様に、隅角柱部２６ｑの長手状開口部２６ｒ内に嵌り込むようにして、糸付き遊技球１００の遊技球により引っ張られることとなる。
【０１２０】
然る後、傾動板２６ｘの上述のような上方への傾動に伴い、糸付き遊技球１００の糸１０１は、その中間糸部位にて、隅角柱部２６ｑの長手状開口部２６ｒの内縁上部と規制柱２６ｐの上端部との間に挟み込まれる。
【０１２１】
従って、このように挟み込まれた糸付き遊技球１００の糸１０１の中間糸部位は、自由に移動できなくなる。これに伴い、糸付き遊技球１００は、自由に移動できなくなり、球発射装置１０の発射レール１３上の球発射端部まで移動することができなくなったり、発射位置まで移動して発射されても遊技領域まで到達することが困難になる。その結果、遊技者が、糸付き遊技球１００の糸の他端部を用いて不正行為を行おうとしても、当該不正行為が不能となり未然に防止され得る。
【０１２２】
なお、本発明の実施にあたり、上記実施形態にて述べた球送り装置２０において、球案内路２４ｇ、即ち、両案内路部２４ｄ、２４ｆは、導入部材２４の球導入壁部２４ａとは別体であってもよい。
【符号の説明】
【０１２３】
Ｂ…横方向回動体、Ｃ…電磁駆動体、Ｓ…球受け皿、
１０…球発射装置、２０…球送り装置、２１…前側ケーシング部材、
２２…後側ケーシング部材、２２ｆ…球送り口部、２４…球導入部材、
２４ｃ…球導入口部、２４ｊ…凹所、２４ｄ、２４ｆ…案内路部、
２４ｇ…球案内路、２６…規制案内部材、２６ｂ…規制案内壁、２６ｆ…隅角柱部、
２６ｇ…上側溝部、２６ｈ…中側溝部、２６ｉ…下側溝部、
２６ｊ、２８ｋ、２６ｍ…窪み部、２６ｘ…傾動板、２６ｙ…捩りばね、
２９…支持軸、２７…球受け板、２７ａ…凹部、２７ｂ…左側腕部、２７ｃ…右側腕部。
【図１】
0005890544.tif 000002
【図２】
0005890544.tif 000003
【図３】
0005890544.tif 000004
【図４】
0005890544.tif 000005
【図５】
0005890544.tif 000006
【図６】
0005890544.tif 000007
【図７】
0005890544.tif 000008
【図８】
0005890544.tif 000009
【図９】
0005890544.tif 000010
【図１０】
0005890544.tif 000011
【図１１】
0005890544.tif 000012
【図１２】
0005890544.tif 000013
【図１３】
0005890544.tif 000014
【図１４】
0005890544.tif 000015
【図１５】
0005890544.tif 000016
【図１６】
0005890544.tif 000017
【図１７】
0005890544.tif 000018
【図１８】
0005890544.tif 000019
【図１９】
0005890544.tif 000020
【図２０】
0005890544.tif 000021
【図２１】
0005890544.tif 000022